(57)【特許請求の範囲】
【請求項１】
印刷紙面内に品質を測定するためのコントロールストリップを入れて，そのコントロールストリップを測定器で測定することにより，印刷物の品質を検査，あるいは制御する印刷方法において、該コントロールストリップが，印刷の基本色である，墨，藍，紅，黄（以下Ｋ，Ｃ，Ｍ，Ｙ，と記す）各々のインキ量を検査するための色票から構成されている場合に，Ｃ，Ｍ，Ｙ，各々のインキ量に関する測定結果を基に、当該３色の測定結果を組み合わせてバランス指数を算出し、各色のインキ量を、バランス指数が基準の範囲内に収まるように調整することを特徴とする印刷方法。
【発明の詳細な説明】
【０００１】
【発明の属する技術分野】
本発明は，印刷紙面内に品質を測定するためのコントロールストリップを入れて，そのコントロールストリップを測定器で測定することにより，印刷物の品質を検査，あるいは制御する印刷方法において，該コントロールストリップから得られる各インキの量の情報に，各インキ量のバランスの情報を付加することを特徴とする印刷方法およびその印刷方法を用いて作成された印刷物に関する。
【０００２】
【従来の技術】
従来，印刷紙面内に品質を測定するためのコントロールストリップを入れて，そのコントロールストリップを測定器で測定することにより，印刷物の品質を検査，あるいは制御する印刷方法では，印刷の基本色であるＫ，Ｃ，Ｍ，Ｙ，４色のインキ量のみを検査する方法が，用いられることが大半であった。この方法では， Ｃ，Ｍ，Ｙ，３色の中から，２色のインキの組み合わせでできる色や，Ｃ，Ｍ，Ｙ，３色の組み合わせでできる色を検査することを行わないため，印刷された絵柄の中の全ての色を保証することができない。
【０００３】
最近，前記の問題点を解決するために，印刷の基本色であるＫ，Ｃ，Ｍ，Ｙ，４色のインキ量のみの検査に加えて，Ｃ，Ｍ，Ｙ，３色の中から，２色のインキの組み合わせでできる色を検査するための色票，さらに，Ｃ，Ｍ，Ｙ，３色の組み合わせでできる色を検査するための色票，を備えたコントロールストリップを用いて，印刷物の検査あるいは制御を行う方法が使われるようになってきた。
【０００４】
オフセット印刷において，このコントロールストリップを用いる印刷方法は，紙面上のスペースの問題から，枚葉印刷機で利用されることが多く，オフセット輪転印刷機（以下，オフ輪と記す）で利用されることはまれであった。
【０００５】
しかしながら，最近の印刷物への要求品質の厳しさから，オフ輪でもコントロールストリップによる品質管理方法の適用が検討され，紙面上のスペースの問題を解消するために，非常に細いコントロールストリップを測定できるような機器が開発されている。
【０００６】
色に関する必要な情報を得るためには，測定対象となる色票には適当な面積が必要であり，前述のように非常に細いコントロールストリップでは，各々の色票の横幅を広くすることによって，面積を稼いでいる。
【０００７】
オフセット印刷の場合，インキ量の調整は，印刷の流れ方向に沿って分割されたブレードの開き量によって行われるため，絵柄と印刷の流れ方向で対応していない色票からは，絵柄の情報は得ることができない。従って，各ブレードごとに制御に必要な情報を得られるだけの色票数を割り当てることが大切であるが，前述のように色票の横幅を広くすると，当然一つのブレードに入る色票数は減少し，印刷の基本色であるＫ，Ｃ，Ｍ，Ｙ，４色のインキ量を検査する色票に限定されることが多い。
【０００８】
一方，コントロールストリップに Ｃ，Ｍ，Ｙ，３色の平網の掛け合わせで構成されるグレーを入れて検査の対象とした場合，印刷の基本色であるＫ，Ｃ，Ｍ，Ｙ，４色のインキ量のみを検査する方法に比較して，印刷される絵柄に関する情報量が多く，その結果印刷物の品質もより安定することがわかっている。
この理由は，Ｃ，Ｍ，Ｙ，３色の平網の掛け合わせで構成されるグレーの検査では，印刷の基本色であるＫ，Ｃ，Ｍ，Ｙ，４色のインキ量の検査では得られない印刷品質に関する情報，例えばＣ，Ｍ，Ｙ，３色のインキ量のバランス，ドットゲイン，コントラスト，トラッピングなど，が得られるためである。
【０００９】
ドットゲイン，コントラストを検査するためには，先ほどの印刷の基本色であるＫ，Ｃ，Ｍ，Ｙ，４色のインキ量を検査する色票を，ベタでなく平網で作成すればよく，また，トラッピングは，印刷中に通常のインキや水の調整で制御するのは難しく，現在も，単に材料や印刷機の状態のチェックに使用しているのみである。
【００１０】
一方，Ｃ，Ｍ，Ｙ，３色のインキ量のバランスは，３色で再現される色相に影響するため，印刷品質に大きな影響を与える。これは，人間の色に関する判断が，色相に一番敏感で，続いて明度，彩度となることからもわかる。
【００１１】
【発明が解決しようとする課題】
本発明が解決しようとする課題は，印刷紙面内に品質を測定するためのコントロールストリップを入れて，そのコントロールストリップを測定器で測定することにより，印刷物の品質を検査，あるいは制御する印刷方法を向上させ，要求品質を満たす印刷物を製作する方法及びその方法を用いて作成された印刷物を提供することである。
【００１２】
【課題を解決するための手段】
上記の課題を解決するために，本発明では，印刷紙面内に品質を測定するためのコントロールストリップを入れて，そのコントロールストリップを測定器で測定することにより，印刷物の品質を検査，あるいは制御する印刷方法において、該コントロールストリップが，印刷の基本色である，墨，藍，紅，黄（以下Ｋ，Ｃ，Ｍ，Ｙ，と記す）各々のインキ量を検査するための色票から構成されている場合に，Ｃ，Ｍ，Ｙ，各々のインキ量に関する測定結果を基に、当該３色の測定結果を組み合わせてバランス指数を算出し、各色のインキ量を、バランス指数が基準の範囲内に収まるように調整することを特徴としている。
【００１４】
＜作用＞
印刷紙面内に品質を測定するためのコントロールストリップを入れて，そのコントロールストリップを測定器で測定することにより，印刷物の品質を検査，あるいは制御する印刷方法において，該コントロールストリップが，印刷の基本色である，墨，藍，紅，黄（以下Ｋ，Ｃ，Ｍ，Ｙ，と記す）各々のインキ量を検査するための部分から構成されている場合に，Ｃ，Ｍ，Ｙ，各々の測定結果から３色のバランスを算出し，各色のインキ量に加えて３色のバランスも判断基準に取り入れることにより，要求品質を満たす印刷物を製作する印刷方法及びこの本方法を用いて作成された印刷物を提供する。
【００１５】
【発明の実施の形態】
印刷紙面内の任意の位置に，品質を測定するためのコントロールストリップを入れて，そのコントロールストリップを測定器で測定することにより，印刷物の品質を検査，あるいは制御を行う。この任意の位置とは，製本工程で最終的な雑誌・書籍になるときに，断裁されてしまう余白の部分である。
【００１６】
コントロールストリップは，印刷の基本色である，墨，藍，紅，黄（以下Ｋ，Ｃ，Ｍ，Ｙ，と記す）各々のインキ量を検査するための色票で構成されている。
【００１７】
オフセット印刷の場合には，インキ量の調整は，印刷の流れ方向に沿って分割されたブレードの開き量によって行われるため，絵柄と印刷の流れ方向で対応していない色票からは，絵柄の情報は得ることができない。従って，各ブレードごとに，印刷の基本色であるＫ，Ｃ，Ｍ，Ｙ，４色のインキ量を検査する色票を配置する。
【００１８】
コントロールストリップからの情報によって制御を行う場合には，まず各々のインキ量を検査するための色票からの情報によって，絵柄全体の印刷品質が作られる。
【００１９】
続いて，色票から得られたＣ，Ｍ，Ｙ，各々の測定結果から，３色のバランスを算出する。算出された結果をここではバランス指数と呼ぶが，Ｃ，Ｍ，Ｙ，３色のバランスの変化に敏感な式を用いることが大切で，例えばここでは，以下の式を用いる。
バランス指数 ＢＡ＝Ｄｙ（Ｄｍ―Ｄｙ) ／ Ｄｃ（Ｄｃ―Ｄｍ）
但し、ＢＡ：バランス指数
Ｄｃ：シアンの色票濃度、Ｄｍ：マゼンダの色票濃度、Ｄｙ：イエローの色票濃度
である。
【００２０】
前述の各々のインキ量を検査するための色票からの情報によって，絵柄全体の印刷品質が作られた状態からさらに，バランス指数が基準の範囲内に収まるように，Ｃ，Ｍ，Ｙ，各インキ量を調整することで，Ｋ，Ｃ，Ｍ，Ｙ，各々のインキ量と，Ｃ，Ｍ，Ｙ，３色のバランス両方が管理された品質の高い印刷物が作成される。
【００２１】
【実施例】
以下，本発明を実施例を示しながら，より具体的に説明する。
【００２２】
本実施例では，図１に示すようなコントロールストリップを使用した。
Ｋ，Ｃ，Ｍ，Ｙ，各々の順番は，任意である。
【００２３】
本実施例では，印刷方式としてオフセット印刷を採用したため，各インキブレード内に４色の色票が入り，各々の色の情報が得られるよう，色票のサイズを調整した。
【００２４】
絵柄として女性，化粧品，空，森を含む自然画など，一般的な雑誌によくある絵柄を選んだ。
【００２５】
まず最初に，各々のインキ量を検査するためのベタの色票からの情報によって印刷を行った。各々の値が基準範囲に入ったところで，連続した２０枚をサンプリングした。その中からランダムに５枚を選び，分光光度計にて，色見本である校正刷りとの色差（ＣＩＥＬＡＢ）を測定した。各々の印刷物と色見本との色差を平均した結果，平均値は７．０１であった。
【００２６】
上記の状態からさらに，Ｃ，Ｍ，Ｙ，３色のバランス指数を前述の式を用いて計算し，あらかじめ色見本から算出しておいた基準値に合うように制御した。同様に，各々の値が基準範囲に入ったところで，連続した２０枚をサンプリングし，その中からランダムに５枚を選び，分光光度計にて，色見本である校正刷りとの色差（ＣＩＥＬＡＢ）を測定した。各々の印刷物と色見本との色差を平均した結果，平均値は５．７７であった。この値は，中から低程度の要求品質の仕事では，ＯＫとみなされる範囲にある。
【００２７】
印刷オペレータに，通常の方法で印刷してもらい，オペレータがＯＫとしたところで，同様のサンプリングを行い，色差を計算したところ，平均値は３．４６であった。
【００２８】
【発明の効果】
本発明による印刷方法の使用により，Ｋ，Ｃ，Ｍ，Ｙ，各々のインキ量だけを考慮して制御された印刷物に比べて，色見本により近く再現された印刷物を作成することができる。
また，この印刷方法を用いることにより，スキルの低い若年層の印刷オペレータでも，スキルの高い熟練工と同程度とまではいかないが，中から低程度の要求品質に対応した印刷物を作成することができる。
【図面の簡単な説明】
【図１】本発明の印刷方法及び印刷物の一実施例における，コントロールストリップの内容を示す概略図。
【符号の説明】
１・・・コントロールストリップ
２・・・Ｋ色票
３・・・Ｃ色票
４・・・Ｍ色票
５・・・Ｙ色票
【図１】
0004281172.tif 000002